(57)【特許請求の範囲】
【請求項１】
被写体に放射線を照射する放射線源から前記被写体に放射線が照射された際に該被写体を透過した放射線を放射線検出器により検出し放射線画像を取得する放射線撮影装置による曝射量を管理する放射線撮影管理システムであって、
前記放射線画像を複数の領域に分割した際の各分割領域内から、前記被写体を透過せずに前記放射線源からの放射線を直接検出した素抜け領域を検出する素抜け領域検出手段と、
該素抜け領域検出手段により検出された前記素抜け領域の画素値を用いて前記分割領域毎に分割曝射量を検出する曝射量検出手段と、
該曝射量検出手段において検出された複数の前記分割曝射量を比較する曝射量比較手段と、
該曝射量比較手段による比較結果に基づいて前記放射線撮影装置の管理を行う装置管理手段と
を備えたことを特徴とする放射線撮影管理システム。
【請求項２】
前記装置管理手段が、前記各分割曝射量の差分が設定しきい値以上である場合には警告を出力する機能を有するものであることを特徴とする請求項１記載の放射線撮影管理システム。
【請求項３】
前記装置管理手段が、前記各分割曝射量の差分が設定しきい値未満である前記分割曝射量を用いて統計データを算出するデータ解析手段を有するものであることを特徴とする請求項１記載の放射線撮影管理システム。
【請求項４】
前記装置管理手段が、前記複数の分割曝射量のうち、最も大きい最大分割曝射量を放射線撮影時の前記被写体への曝射量として記憶する機能を有するものであることを特徴とする請求項１から３のいずれか１項記載の放射線撮影管理システム。
【請求項５】
前記放射線画像の分割領域を設定する領域分割手段をさらに備えたことを特徴とする請求項１から４のいずれか１項記載の放射線撮影管理システム。
【請求項６】
前記複数の分割領域が前記放射線画像を短冊状に分割したものであることを特徴とする請求項１から４のいずれか１項記載の放射線撮影管理システム。
【請求項７】
複数の前記放射線撮影装置にネットワークを介してデータ伝送可能に接続されており、前記複数の放射線撮影装置を管理するものであることを特徴とする請求項１から５のいずれか１項記載の放射線撮影管理システム。
【発明の詳細な説明】
【技術分野】
【０００１】
本発明は、放射線撮影時の患者に対する曝射量を管理する放射線撮影管理システムおよび方法に関するものである。
【背景技術】
【０００２】
従来から胸部レントゲン撮影やマンモグラフィ装置やＣＴ装置等を用いて放射線撮影を行うことにより人体の内部を放射線画像により診断することが行われている。この放射線撮影は人体に対し微量ながらも放射線を曝射するものであるため、人体の安全を考慮し放射線の曝射量を管理する必要がある。曝射量の管理を行うためには、曝射量を計測する必要があり、この曝射量の計測方法として種々の方法が提案されている（たとえば特許文献１、２参照）。
【０００３】
特許文献１には、照射Ｘ線量を撮影条件から算出し、もしくは照射Ｘ線量を照射部もしくは検出部に線量計を配置して線量計により計測された放射線量に基づいて累積曝射量を検出することが開示されており、特許文献２には、たとえばＤＩＣＯＭ等において画像データに関連づけされた照射線量を計算することが開示されている。
【先行技術文献】
【特許文献】
【０００４】
【特許文献１】特開２００４−２０１７５７号公報
【特許文献２】特開２００７−９７９０９号公報
【発明の概要】
【発明が解決しようとする課題】
【０００５】
しかし、特許文献１のように、線量計が別途必要であってコストが掛かるという問題がある。また、特許文献１、２のように撮影条件等から放射線量に基づく管理を行った場合、経年劣化による感度変動等の影響により記録されている放射線量自体の推定精度が落ちている場合があり、正確な放射線量の管理を行うことができないという問題がある。
【０００６】
そこで、本発明は、患者に曝射された放射線量を精度の良く検出された曝射量に基づいて放射線撮影装置を管理することができる放射線撮影管理システムおよび方法を提供することを目的とするものである。
【課題を解決するための手段】
【０００７】
本発明の放射線撮影管理システムは、被写体に放射線を照射する放射線源から被写体に放射線が照射された際に被写体を透過した放射線を放射線検出器により検出し放射線画像を取得する放射線撮影装置による曝射量を管理する放射線撮影管理システムであって、放射線画像を複数の分割領域に分割した際の各分割領域内から被写体を透過せずに放射線源からの放射線を直接検出した素抜け領域を検出する素抜け領域検出手段と、素抜け領域検出手段により検出された素抜け領域の画素値を用いて分割領域毎に分割曝射量を検出する曝射量検出手段と、曝射量検出手段において検出された複数の分割曝射量を比較する曝射量比較手段と、曝射量比較手段による比較結果に基づいて放射線撮影装置の管理を行う装置管理手段とを備えたことを特徴とするものである。
【０００８】
本発明の放射線撮影管理方法は、被写体に放射線を照射する放射線源から被写体に放射線が照射された際に被写体を透過した放射線を放射線検出器により検出し放射線画像を取得する放射線撮影装置による曝射量を管理する放射線撮影管理方法であって、放射線画像を複数の分割領域に分割するとともに、各分割領域内から被写体を透過せずに放射線源からの放射線を直接検出した素抜け領域を検出し、検出した素抜け領域の画素値を用いて各分割領域の分割曝射量を検出し、検出した複数の分割曝射量を比較し、比較結果に基づいて放射線撮影装置の管理を行うことを特徴とするものである。
【０００９】
ここで、放射線撮影装置は、被写体を透過した放射線を検出することにより放射線画像を検出するものであればなんでもよく、たとえば胸部レントゲン撮影装置であってもよいし、マンモグラフィ装置、歯科用もしくは内臓を観察するためのＣＴ装置等であってもよい。
【００１０】
また、放射線撮影管理装置は、放射線撮影装置に内蔵されたものであってもよいし、複数の放射線撮影装置に対しネットワークを介してデータ伝送可能に接続されており、複数の放射線撮影装置を管理するものであってもよい。
【００１１】
さらに、放射線画像または放射線検出器の検出領域を２以上の複数の分割したものあればよく、予め設定されたものであってもよいし、入力手段を介して任意の領域に設定可能なものであってもよい。また、領域分割は分割領域数および分割手法を問わず、たとえば検出領域をマトリクス状に分割したものであってもよいし、短冊状に分割したものであってもよい。
【００１２】
また、領域分割手段は、複数の分割領域のうち少なくとも２つの分割領域内に素抜け領域が存在するように領域分割するものであればよいが、すべての分割領域に素抜け領域が含まれていることが好ましい。さらに、領域分割を行った後に各分割領域から素抜け領域を検出してもよいし、素抜け領域を検出後に各分割領域内に素抜け領域が含まれるように領域分割を行うようにしてもよい。
【００１３】
なお、装置管理手段は、各分割曝射量の差分が設定しきい値以上である場合には警告を出力する機能を有するものであってもよい。
【００１４】
また、装置管理手段が、設定しきい値未満である分割曝射量を用いて統計データを算出するデータ解析手段を有するものであってもよい。
【００１５】
さらに、装置管理手段が、１回の放射線撮影に対し検出される複数の分割曝射量のうち、最も大きい最大分割曝射量を被写体への曝射量として記憶する機能を有するものであってもよい。
【００１６】
さらに、放射線撮影管理システムは、放射線撮影装置に内蔵されたものであってもよいし、複数の放射線撮影装置にネットワークを介してデータ伝送可能に接続されており、複数の放射線撮影装置を管理するものであってもよい。
【発明の効果】
【００１７】
本発明の放射線撮影管理システムおよび方法によれば、被写体に放射線を照射する放射線源から被写体に放射線が照射された際に被写体を透過した放射線を放射線検出器により検出し放射線画像を取得する放射線撮影装置による曝射量を管理するものであって、放射線検出器の検出領域を複数の分割領域に分割するとともに、各分割領域内から被写体を透過せずに放射線源からの放射線を直接検出した素抜け領域を検出し、検出した素抜け領域の画素値を用いて各分割領域の分割曝射量を検出し、検出した複数の分割曝射量を比較し、比較結果に基づいて放射線撮影装置の管理を行うことにより、放射線検出器に感度変動等が生じた場合であっても精度良く曝射量を検出し、精度の良い曝射量検出に基づく放射線撮影装置の管理を行うことができる。
【００１８】
なお、装置管理手段が、各分割曝射量の差分が設定しきい値以上である場合には警告を出力する機能を有するものであれば、分割曝射量が設定しきい値以上離れている場合には、経年劣化による感度変動等が生じ装置にメンテナンスが必要であると判断することができるため、放射線撮影装置の適切な保守管理を行うことができる。
【００１９】
また、装置管理手段が、設定しきい値未満である分割曝射量を用いて統計データを算出するデータ解析手段を有するものであるとき、感度変動による曝射量の誤差の少ないデータを用いて放射線撮影時の曝射量について管理することができるため、放射線撮影装置の適切な保守管理を行うことができる。
【００２０】
さらに、装置管理手段が、複数の分割曝射量のうち、最も大きい最大分割曝射量を放射線撮影時の被写体への曝射量として記憶する機能を有するものであれば、局所的な感度変動等によりある分割領域の放射線検出性能が劣化した場合であっても、感度変動等の少ない他の分割領域の検出結果に基づいて精度良く被写体への曝射量を検出することができる。
【００２１】
さらに、複数の放射線撮影装置にネットワークを介してデータ伝送可能に接続されており、複数の放射線撮影装置を管理するものであれば、１台の曝射量管理装置を用いて複数台の放射線撮影装置を効率的に管理することができる。
【図面の簡単な説明】
【００２２】
【図１】本発明の放射線撮影管理システムの好ましい実施形態を示す概略図
【図２】図１の放射線撮影管理システムに接続された放射線撮影装置の一例を示すシステム図
【図３】図１の放射線撮影管理システムに接続された放射線撮影装置の一例を示す模式図
【図４】図３の放射線撮影装置における放射線検出器の一例を示す模式図
【図５Ａ】図２の領域分割手段において検出領域が分割された状態の一例を示す模式図
【図５Ｂ】図２の領域分割手段において検出領域が分割された状態の別の一例を示す模式図
【図６】本発明の放射線撮影管理方法の好ましい実施形態を示すフローチャート
【発明を実施するための形態】
【００２３】
以下、図面を参照して本発明の実施形態を詳細に説明する。図１は本発明の放射線撮影管理システムの好ましい実施形態を示す概略図である。放射線撮影管理システム１は、各病院等に設置された放射線撮影装置１０による曝射量を患者毎に一元管理するものであって、複数の放射線撮影装置１０と曝射量管理装置２０とがネットワーク２を介してデータ伝送可能に接続された構造を有している。
【００２４】
図２は放射線撮影装置１０の一例を示す模式図である。図２の放射線撮影装置１０は臥位型の放射線撮影装置であって、放射線源１１、放射線検出器１２を備えている。そして、放射線源１１から放射線が患者Ｓに照射され、患者Ｓを透過した放射線が放射線検出器１２により放射線画像として検出される。この放射線源１１および放射線検出器１２は撮影制御手段１３により制御されている。
【００２５】
図４は、放射線検出器１２の回路構成ブロック図である。放射線検出器１２は、放射線を感知して電荷を発生させるアモルファスセレン（ａ−Ｓｅ）などの物質からなる光電変換層５１を行列状の薄膜トランジスタ（ＴＦＴ：Ｔｈｉｎ  Ｆｉｌｍ  Ｔｒａｎｓｉｓｔｏｒ）５２のアレイの上に配置した構造を有し、光電変換層５１において発生した電荷を蓄積容量５３に蓄積した後、各行毎にＴＦＴ５２を順次オンにして、蓄積容量５３に蓄積した電荷を画像信号として読み出す。図４では、光電変換層５１および蓄積容量５３からなる画素１つの画素５０と１つのＴＦＴ５２との接続関係のみを示し、その他の画素５０の構成については省略している。
【００２６】
放射線検出器１２の各画素５０に接続されるＴＦＴ５２には、行方向に平行に延びるゲート線５４と、列方向に平行に延びる信号線５６とが接続されている。各ゲート線５４は、ライン走査駆動部５８に接続され、各信号線５６は、マルチプレクサ６６に接続されている。ゲート線５４には、行方向に配列されたＴＦＴ５２をオンオフ制御する制御信号Ｖｏｎ、Ｖｏｆｆがライン走査駆動部５８から供給される。この場合、ライン走査駆動部５８は、ゲート線５４を切り替える複数のスイッチＳＷ１と、スイッチＳＷ１の１つを選択する選択信号を出力するアドレスデコーダ６０とを備えている。アドレスデコーダ６０には、撮影制御手段１３からアドレス信号が供給される。
【００２７】
また、信号線５６には、列方向に配列されたＴＦＴ５２を介して各画素５０の蓄積容量５３に保持されている電荷が流出する。この電荷は、増幅器６２によって増幅される。増幅器６２には、サンプルホールド回路６４を介してマルチプレクサ６６が接続される。マルチプレクサ６６は、信号線５６を切り替える複数のスイッチＳＷ２と、スイッチＳＷ２の１つを選択する選択信号を出力するアドレスデコーダ６８とを備えている。アドレスデータ６８には、撮影制御手段１３からアドレス信号が供給される。マルチプレクサ６６には、Ａ／Ｄ変換器７０が接続され、Ａ／Ｄ変換器７０によってデジタル信号に変換された放射線画像信号が撮影制御手段１３に出力される。
【００２８】
特に、図４の放射線検出器１２は、奇数画素ラインのＴＦＴ５２から信号を読み出すためのマルチプレクサ６６2n＋１と、偶数ラインのＴＦＴから信号を読み出すためのマルチプレクサ６６2nとを有している。すなわち、奇数画素ラインのＴＦＴ５２と偶数ラインのＴＦＴ５２とは異なるマルチプレクサ６６2n＋１、６６2nを介して放射線画像信号が撮影制御手段１３に出力されることになる。
【００２９】
なお、図４においては放射線検出器１２としてＴＦＴ方式を採用した場合について例示しているが、光読み出し方式の放射線検出器１２であってもよい。具体的には、光読み出し方式の放射線検出器１２は、上述したアモルファスセレンのような放射線Ｘを直接的に電荷に変換する放射線-電荷変換材料の代わりに、蛍光体材料と光電変換素子（フォトダイオード）を用いて間接的に電荷に変換する。蛍光体材料としては、ガドリニウム硫酸化物（ＧＯＳ）やヨウ化セシウム（ＣｓＩ）が良く知られている。この場合、蛍光材料によって放射線Ｘ−光変換を行い、光電変換素子のフォトダイオードによって光−電荷変換を行なう。
【００３０】
さらに、図３の放射線撮影装置１０は領域分割手段１４、素抜け領域検出手段１５、曝射量検出手段１６を備えている。領域分割手段１４は、放射線検出器１２の放射線検出領域ＤＲまたは放射線画像Ｐを複数の分割領域ＢＲに分割するものである。特に、領域分割手段１４は、各分割領域ＢＲ内に素抜け領域ＴＥＲが含まれるように領域を分割する。図５Ａ、図５Ｂは検出領域を分割した一例を示す模式図である。図５Ａにおいて、複数の分割領域ＢＲ１〜ＢＲ４は放射線検出器１２の検出領域ＤＲをマトリクス状に分割することにより形成されている。図５Ａのような胸部レントゲンの場合であっても、各分割領域ＢＲ１〜ＢＲ４内にそれぞれ素抜け領域ＴＥＲが存在する。
【００３１】
また、図５Ｂにおいて、複数の分割領域ＢＲ１〜ＢＲ４は放射線検出器１２の検出領域ＤＲを短冊状（ストライプ状）に分割されることにより形成されている。たとえば図３Ｂのような鎖骨上にのみ素抜け領域ＴＥＲがある場合であっても、各分割領域ＢＲ１〜ＢＲ４内にそれぞれ素抜け領域が存在することになる。この分割領域ＢＲは予め設定されたものであってもよいし、複数の領域分割設定の中から一の設定を選択し分割するようにしてもよい。
【００３２】
さらに、領域分割手段１４は、図５Ａ、図５Ｂのような領域分割を行う場合に限らず、図４のような偶数画素ラインが形成する領域と奇数画素ラインが形成する領域とに領域分割するようにしてもよい。また、図４に示すような構造の放射線検出器１２の場合に限らず、通常のＴＦＴ方式や光読出方式の場合であっても放射線画像の偶数画素ラインと奇数画素ラインとに領域分割するようにしてもよい。
【００３３】
素抜け領域検出手段１５は、各分割領域ＢＲ１〜ＢＲ４内において被写体Ｓを透過せずに放射線源１１からの放射線を直接検出した素抜け領域ＴＥＲを検出するものである。なお、素抜け領域ＴＥＲの検出には公知の技術を用いることができ、たとえば放射線画像Ｐの画素値のうち所定の大きさ以上の画素値を有する領域を素抜け領域ＴＥＲとして検出する。
【００３４】
図３の曝射量検出手段１６は素抜け領域検出手段１５により検出された素抜け領域ＴＥＲの画素値を用いて各分割領域ＢＲ１〜ＢＲ４における曝射量を分割曝射量ＢＤＲとして検出するものである。なお、素抜け領域に基づく曝射量の検出には公知の技術を用いることができ、曝射量検出手段１６はたとえば分割領域ＢＲ内の素抜け領域ＴＥＲの画素平均値、最大画素値、中間値等を分割曝射量ＢＤＲとして検出する。
【００３５】
警告出力手段１７は放射線技師や医師等の操作者に対し患者の被爆量について注意喚起をするための警告を出力するものであって、たとえば表示部や音声として警告を出力するものである。
【００３６】
図１の曝射量管理装置２０は、曝射量比較手段２１、装置管理手段２２を備えている。曝射量比較手段２１は曝射量検出手段１６において検出された複数の分割曝射量ＢＤＲを比較するものである。たとえば図５Ａ、図５Ｂのように検出領域が４つの分割領域ＢＲ１〜ＢＲ４に分割されている場合には６つの差分値が算出されることになる。
【００３７】
装置管理手段２２は、曝射量比較手段２１における比較結果に基づいて放射線撮影装置１０の管理を行うものである。具体的には、分割曝射量ＢＤＲの差分が設定しきい値以上であると判定された場合、警告出力手段１７を介してメンテナンスが必要である等の警告を出力するように制御する。さらに、装置管理手段２２は、複数の差分が設定しきい値未満の分割曝射量ＢＤＲに基づいて放射線撮影に関する統計データを作成し記憶する機能を有している。具体的には、装置管理手段２２は、放射線撮影毎に得られる複数の分割曝射量ＢＤＲの平均値（領域の一による重み付け平均を含む）、最大値、中間値を解析しデータベースＤＢに記憶する。特に、装置管理手段２２は、最大の分割曝射量ＢＤＲを患者Ｓに対し照射した曝射量として記憶する。経年劣化による感度が低下した場合であっても、最も感度が高いと推定される最大の分割曝射量ＢＤＲを患者Ｓに対し照射した曝射量として管理することにより、精度の高い曝射量の管理を行うことができる。
【００３８】
このように、検出領域ＤＲを複数の分割領域ＢＲ１〜ＢＲ４に分割し、各分割領域ＢＲ１〜ＢＲ４内の素抜け領域ＴＥＲから分割曝射量ＢＤＲを検出するとともに、分割曝射量ＢＤＲの比較結果に基づいて放射線撮影装置１０の管理を行うことにより、低コストで精度の高い曝射量の検出結果に基づく保守管理を行うことができる。特に、１つの放射線検出器１２から１つの曝射量のみを検出し、検出した曝射量に基づいて管理を行う場合、局所的な感度変動等が生じているか否かが判定しづらいため保守管理が必要か否かを判断することが難しく、結果として曝射量の検出精度が落ちた状態での管理を行ってしまう場合がある。一方、各分割領域ＢＲ１〜ＢＲ４毎に素抜け領域ＴＥＲに基づく分割曝射量ＢＤＲにより放射線撮影装置１０の管理を行うことにより、被写体Ｓへの曝射量の検出精度を高めるとともに、放射線撮影装置１０の状態を精度良く把握することができる。
【００３９】
図６は本発明の放射線撮影管理方法の好ましい実施の形態を示すフローチャートであり、図１から図６を参照して放射線撮影管理方法について説明する。放射線撮影装置１０において放射線撮影が行われた際、素抜け領域検出手段１５において予め設定された分割領域ＢＲ１〜ＢＲ４毎に素抜け領域が検出される（ステップＳＴ１）。その後、曝射量検出手段１６により各分割領域ＢＲ１〜ＢＲ４の素抜け領域から分割曝射量ＢＤＲが検出される（ステップＳＴ２）。
【００４０】
次に、分割曝射量ＢＤＲがネットワーク２を介して装置管理手段２２に伝送され、曝射量比較手段２１により分割曝射量ＢＤＲの差分が算出される（ステップＳＴ３）。そして、装置管理手段２２において分割曝射量ＢＤＲの差分が設定しきい値以上であるか否かが判断され（ステップＳＴ４）、分割曝射量ＢＤＲの差分が設定しきい値以上である場合、感度変動等の放射線撮影装置１０の経年劣化が生じていると判断し、警告出力手段１７から警告が出力される（ステップＳＴ５）。一方、分割曝射量ＢＤＲの差分が設定しきい値未満である場合、装置管理手段２２により分割曝射量データを用いて患者Ｓへの曝射量の統計データが算出され記憶される（ステップＳＴ６）。
【００４１】
上記実施の形態によれば、被写体Ｓに放射線を照射する放射線源１１から被写体に放射線が照射された際に被写体Ｓを透過した放射線を放射線検出器１２により検出し放射線画像を取得する放射線撮影装置１０による曝射量を管理するものであって、放射線検出器１２の検出領域ＤＲについて分割領域ＢＲ毎に、被写体を透過せずに放射線源１１からの放射線を直接検出した素抜け領域ＴＥＲを検出し、検出した素抜け領域ＴＥＲの画素値を用いて各分割領域の分割曝射量ＢＤＲを検出し、検出した複数の分割曝射量ＢＤＲを比較し、比較結果に基づいて放射線撮影装置１０の管理を行うことにより、感度変動等により放射線検出性能が劣化した場合であっても精度良く被写体への曝射量を検出し、精度の良い曝射量検出に基づく放射線撮影装置の管理を行うことができる。
【００４２】
なお、装置管理手段２２が、各分割曝射量ＢＤＲの差分が設定しきい値以上である場合には警告を出力する機能を有するものであるとき、経年劣化による感度変動等が生じていると判断することができるため、放射線撮影装置の適切な保守管理を行うことができる。
【００４３】
また、装置管理手段２２が、設定しきい値未満である分割曝射量ＢＤＲを用いて統計データを算出するデータ解析手段を有するものであるとき、感度変動による曝射量の誤差の少ないデータを用いて放射線撮影時の曝射量について管理することができるため、放射線撮影装置１０の適切な保守管理を行うことができる。
【００４４】
さらに、装置管理手段が、複数の分割曝射量ＢＤＲのうち最大分割曝射量ＢＤＲを放射線撮影時の被写体への曝射量として記憶する機能を有するものであれば、局所的な感度変動等によりある分割領域の放射線検出性能が劣化した場合であっても、感度変動等の少ない他の分割領域の検出結果に基づいて精度良く被写体への曝射量を検出することができる。
【００４５】
また、複数の放射線撮影装置にネットワークを介してデータ伝送可能に接続されており、複数の放射線撮影装置を管理するものであれば、１台の曝射量管理装置を用いて複数台の放射線撮影装置を効率的に管理することができる。
【００４６】
本発明の実施形態は、上記実施の形態に限定されない。たとえば、図１において、放射線撮影装置１０と曝射量管理装置２０とがネットワークを介してデータ伝送可能に接続されている場合について例示しているが、曝射量管理装置２０が放射線撮影装置１０に内蔵されており、各放射線撮影装置１０内において曝射量の管理を行うようにしてもよい。
【００４７】
また、上記実施の形態において、領域分割後に素抜け領域ＴＥＲを検出する場合について例示しているが、異なる２つ以上の分割領域ＢＲ内に素抜け領域ＴＥＲが存在していればよく、素抜け領域ＴＥＲを検出した後に分割領域ＢＲ１〜ＢＲ４がそれぞれ素抜け領域ＴＥＲを含むように領域分割を行うようにしてもよい。
【００４８】
さらに、図１において、放射線撮影装置１０側に領域分割手段１４、素抜け領域検出手段１５、曝射量検出手段１６を設け、曝射量管理装置２０側に曝射量比較手段２１、装置管理手段２２を設けた場合について例示しているが、放射線撮影装置１０に曝射量管理装置２０を内蔵させてもよいし、曝射量管理装置２０側に領域分割手段１４、素抜け領域検出手段１５、曝射量検出手段１６を設けてもよい。
【符号の説明】
【００４９】
１    放射線撮影管理システム
２    ネットワーク
１０  放射線撮影装置
１１  放射線源
１２  放射線検出器
１３  撮影制御手段
１４  領域分割手段
１５  素抜け領域検出手段
１６  曝射量検出手段
２０  曝射量管理装置
２１  曝射量比較手段
２２  装置管理手段
ＢＤＲ      分割曝射量
ＢＲ  分割領域
ＤＢ  データベース
ＤＲ  検出領域
Ｐ    放射線画像
Ｓ    被写体
ＴＥＲ      素抜け領域
【図１】
0005448676.tif 000002
【図２】
0005448676.tif 000003
【図３】
0005448676.tif 000004
【図４】
0005448676.tif 000005
【図５Ａ】
0005448676.tif 000006
【図５Ｂ】
0005448676.tif 000007
【図６】
0005448676.tif 000008